(57)【特許請求の範囲】
【請求項１】
表示画面に画像を表示すると共に前記表示画面に表示された表示画像の内容に対する指示入力を受ける表示入力装置に、前記表示画像として少なくとも地図画像を表示させる地図表示システムであって、
前記表示画像を生成する表示画像生成部と、
前記表示入力装置への前記指示入力を受け付ける操作入力受付部と、を備え、
前記表示画像生成部は、少なくとも道路ネットワーク情報を含むベース地図画像が配置されたベース地図レイヤと、当該ベース地図画像上に付加される付加情報画像が配置された付加画像レイヤとを重ね合わせて前記地図画像を生成すると共に、前記地図画像の表示内容を設定する設定画面の画像である表示設定画像を生成し、
前記付加情報画像は、複数の種別に分類され、それぞれの種別ごとに異なる複数の前記付加画像レイヤに配分されており、
前記表示画像生成部は、前記ベース地図レイヤを模式的に示す地図レイヤアイコンと、複数の前記付加画像レイヤのそれぞれを模式的に示す複数の付加画像レイヤアイコンとを並べて表す画像であるレイヤ選択画像を含む前記表示設定画像を生成し、
前記地図レイヤアイコンは、前記表示設定画像を生成する際の前記地図画像における前記ベース地図画像の表示内容に対応した図案であり、
前記付加画像レイヤアイコンは、前記表示設定画像を生成する際の前記地図画像における前記付加情報画像の表示内容に対応した図案であり、
前記操作入力受付部は、複数の前記付加画像レイヤアイコンのそれぞれへのユーザーの選択操作に基づいて、それぞれの前記付加画像レイヤアイコンに対応する種別の前記付加情報画像を前記地図画像に表示するか否かの要否指示を受け付け、
前記表示画像生成部は、前記ベース地図レイヤと、前記要否指示により表示が必要と指定された前記付加画像レイヤとを重ね合わせて、前記地図画像を生成する、地図表示システム。
【請求項２】
前記表示画像生成部は、表示が必要と指定されている前記付加画像レイヤと、表示が不要と指定されている前記付加画像レイヤとが区別可能なように、複数の前記付加画像レイヤのそれぞれに対応する前記付加画像レイヤアイコンのそれぞれの表示形態を異ならせて前記レイヤ選択画像を生成する請求項１に記載の地図表示システム。
【請求項３】
前記表示画像生成部は、前記レイヤ選択画像と、前記操作入力受付部により受け付けた前記要否指示に応じて、表示が必要と指定されている前記付加画像レイヤの前記付加情報画像が重畳された前記ベース地図画像と、を並べて前記表示設定画像を生成する請求項１又は２に記載の地図表示システム。
【請求項４】
前記付加画像レイヤは、少なくとも、複数の施設のそれぞれの情報である施設情報を示す施設情報画像を前記付加情報画像として有する第１付加画像レイヤと、複数の地点の交通情報を示す交通情報画像を前記付加情報画像として有する第２付加画像レイヤと、を含む請求項１から３の何れか一項に記載の地図表示システム。
【請求項５】
表示画面に画像を表示すると共に前記表示画面に表示された表示画像の内容に対する指示入力を受ける表示入力装置に、前記表示画像として少なくとも地図画像を表示させる地図表示プログラムであって、
表示画像生成部が前記表示画像を生成する表示画像生成機能と、
操作入力受付部が前記表示入力装置への前記指示入力を受け付ける操作入力受付機能と、をコンピュータに実現させ、
前記表示画像生成機能では、少なくとも道路ネットワーク情報を含むベース地図画像が配置されたベース地図レイヤと、当該ベース地図画像上に付加される付加情報画像が配置された付加画像レイヤとを重ね合わせて前記地図画像を生成すると共に、前記地図画像の表示内容を設定する設定画面の画像である表示設定画像を生成し、
前記付加情報画像は、複数の種別に分類され、それぞれの種別ごとに異なる複数の前記付加画像レイヤに配分されており、
前記表示画像生成機能では、前記ベース地図レイヤを模式的に示す地図レイヤアイコンと、複数の前記付加画像レイヤのそれぞれを模式的に示す複数の付加画像レイヤアイコンとを並べて表す画像であるレイヤ選択画像を含む前記表示設定画像を生成し、
前記地図レイヤアイコンは、前記表示設定画像を生成する際の前記地図画像における前記ベース地図画像の表示内容に対応した図案であり、
前記付加画像レイヤアイコンは、前記表示設定画像を生成する際の前記地図画像における前記付加情報画像の表示内容に対応した図案であり、
前記操作入力受付機能では、複数の前記付加画像レイヤアイコンのそれぞれへのユーザーの選択操作に基づいて、それぞれの前記付加画像レイヤアイコンに対応する種別の前記付加情報画像を前記地図画像に表示するか否かの要否指示を受け付け、
前記表示画像生成機能では、前記ベース地図レイヤと、前記要否指示により表示が必要と指定された前記付加画像レイヤとを重ね合わせて、前記地図画像を生成する、地図表示プログラム。
【請求項６】
表示画面に画像を表示すると共に前記表示画面に表示された表示画像の内容に対する指示入力を受ける表示入力装置に、前記表示画像として少なくとも地図画像を表示させる地図表示方法であって、
表示画像生成部が前記表示画像を生成する表示画像生成ステップと、
操作入力受付部が前記表示入力装置への前記指示入力を受け付ける操作入力受付ステップと、を備え、
前記表示画像生成ステップでは、少なくとも道路ネットワーク情報を含むベース地図画像が配置されたベース地図レイヤと、当該ベース地図画像上に付加される付加情報画像が配置された付加画像レイヤとを重ね合わせて前記地図画像を生成すると共に、前記地図画像の表示内容を設定する設定画面の画像である表示設定画像を生成し、
前記付加情報画像は、複数の種別に分類され、それぞれの種別ごとに異なる複数の前記付加画像レイヤに配分されており、
前記表示画像生成ステップでは、前記ベース地図レイヤを模式的に示す地図レイヤアイコンと、複数の前記付加画像レイヤのそれぞれを模式的に示す複数の付加画像レイヤアイコンとを並べて表す画像であるレイヤ選択画像を含む前記表示設定画像を生成し、
前記地図レイヤアイコンは、前記表示設定画像を生成する際の前記地図画像における前記ベース地図画像の表示内容に対応した図案であり、
前記付加画像レイヤアイコンは、前記表示設定画像を生成する際の前記地図画像における前記付加情報画像の表示内容に対応した図案であり、
前記操作入力受付ステップでは、複数の前記付加画像レイヤアイコンのそれぞれへのユーザーの選択操作に基づいて、それぞれの前記付加画像レイヤアイコンに対応する種別の前記付加情報画像を前記地図画像に表示するか否かの要否指示を受け付け、
前記表示画像生成ステップでは、前記ベース地図レイヤと、前記要否指示により表示が必要と指定された前記付加画像レイヤとを重ね合わせて、前記地図画像を生成する、地図表示方法。
【発明の詳細な説明】
【技術分野】
【０００１】
本発明は、表示画面に画像を表示すると共にその表示画面に表示された表示画像の内容に対する指示入力を受ける表示入力装置に、表示画像として少なくとも地図画像を表示させる技術に関する。
【背景技術】
【０００２】
例えばナビゲーションシステムにおける地図表示システムには、表示装置の表示画面に表示される内容をユーザーが設定できるものがある。例えば、地図の表示範囲内に存在する施設のイラストや名称などの施設表示、道路の渋滞状態などを示す交通情報などの付加情報が、地図と共に表示画面に重畳表示されるものがある。但し、ユーザーによっては、そのような付加情報が不要な場合がある。そこで、ユーザーが表示内容を設定できるように構成されているものもある。図９の＃Ａは、付加情報として、施設情報及び交通情報が地図情報に重畳された表示画面を例示している。「Ｐ」のマークは駐車場、「ナイフとフォーク」のマークは飲食店の施設情報を示している。また、道路上のハッチングは当該道路が渋滞していることを示す交通情報を示している。
【０００３】
ここで、ユーザーが施設情報を非表示に設定する場合には、図９の＃Ｂ及び＃Ｃに示すような機能設定画面を表示させ、機能設定画面上で、表示／非表示を切り替える。機能設定画面上で設定を確定させると、図９の＃Ｄに示すように表示形態が変更される。交通情報についても、同じように表示／非表示を切り替えることができる。例えば、下記に出典を示すナビゲーションシステムの取扱説明書（非特許文献１）には、施設情報や交通情報の表示形態を設定する方法が説明されている。但し、このような機能設定画面は、図９に例示したように、多くの場合、文字情報によって構成されている。このため、機能設定画面を終了させて通常の地図画面を表示させるまで、設定後の表示画面の具体的な表示形態を確認することはできない。設定後の表示形態がユーザーの感覚と異なっていた場合には、機能設定画面に戻って再設定する必要があり、ユーザーの所望の表示形態を完成させるまでに手間を要する可能性がある。
【先行技術文献】
【非特許文献】
【０００４】
【非特許文献１】“メモリーナビ  マルチＡＶステーション  ナビゲーション＆オーディオブック”、第１０４〜１０８頁・第１７９〜１８２頁、[online]、２０１４年３月２０日、トヨタ自動車株式会社、［２０１５年１月２１日検索］、インターネット＜http://toyota.jp/manual/navi/nscp-w61.pdf＞
【発明の概要】
【発明が解決しようとする課題】
【０００５】
上記背景に鑑みて、地図と共に付加情報を表示させることが可能な場合に、ユーザーの所望の表示形態を適切且つ効率良く設定することが望まれる。
【課題を解決するための手段】
【０００６】
上記に鑑みた、地図表示システムは、１つの好適な態様として、以下のように構成される。表示画面に画像を表示すると共に前記表示画面に表示された表示画像の内容に対する指示入力を受ける表示入力装置に、前記表示画像として少なくとも地図画像を表示させる地図表示システムは、
前記表示画像を生成する表示画像生成部と、
前記表示入力装置への前記指示入力を受け付ける操作入力受付部と、を備え、
前記表示画像生成部は、少なくとも道路ネットワーク情報を含むベース地図画像が配置されたベース地図レイヤと、当該ベース地図画像上に付加される付加情報画像が配置された付加画像レイヤとを重ね合わせて前記地図画像を生成すると共に、前記地図画像の表示内容を設定する設定画面の画像である表示設定画像を生成し、
前記付加情報画像は、複数の種別に分類され、それぞれの種別ごとに異なる複数の前記付加画像レイヤに配分されており、
前記表示画像生成部は、前記ベース地図レイヤを模式的に示す地図レイヤアイコンと、複数の前記付加画像レイヤのそれぞれを模式的に示す複数の付加画像レイヤアイコンとを並べて表す画像であるレイヤ選択画像を含む前記表示設定画像を生成し、
前記操作入力受付部は、複数の前記付加画像レイヤアイコンのそれぞれへのユーザーの選択操作に基づいて、それぞれの前記付加画像レイヤアイコンに対応する種別の前記付加情報画像を前記地図画像に表示するか否かの要否指示を受け付け、
前記表示画像生成部は、前記ベース地図レイヤと、前記要否指示により表示が必要と指定された前記付加画像レイヤとを重ね合わせて、前記地図画像を生成する。
【０００７】
ベース地図レイヤ及び付加画像レイヤを模式的に示すレイヤアイコンを並べた画像（レイヤ選択画像）を表示させることにより、ユーザーに対して、地図画像の構造を明示することができる。ユーザーは、表示が必要と考える付加情報画像に対応する付加画像レイヤを容易に識別することができる。さらに、付加画像レイヤアイコンに対するユーザーによる選択操作に基づいて、付加情報画像を地図画像に表示するか否かの要否指示が可能である。即ち、ユーザーは、付加画像レイヤを容易に識別すると共に、付加画像レイヤを容易に選択することができる。このように、本構成によれば、地図と共に付加情報を表示させることが可能な場合に、ユーザーの所望の表示形態を適切且つ効率良く設定することができる。
【０００８】
地図表示システムの種々の技術的特徴は、地図表示プログラムや、地図表示方法にも適用可能である。例えば、１つの態様として、地図表示プログラムは、上述した地図表示システムの特徴を備えた各種の機能をコンピュータに実行させる。当然ながらこのような地図表示プログラムも、上述した地図表示システムの作用効果を奏することができる。地図表示方法についても同様である。
【０００９】
１つの態様として、表示画面に画像を表示すると共に前記表示画面に表示された表示画像の内容に対する指示入力を受ける表示入力装置に、前記表示画像として少なくとも地図画像を表示させる地図表示プログラムは、
表示画像生成部が前記表示画像を生成する表示画像生成機能と、
操作入力受付部が前記表示入力装置への前記指示入力を受け付ける操作入力受付機能と、
をコンピュータに実現させ、
前記表示画像生成機能では、少なくとも道路ネットワーク情報を含むベース地図画像が配置されたベース地図レイヤと、当該ベース地図画像上に付加される付加情報画像が配置された付加画像レイヤとを重ね合わせて前記地図画像を生成すると共に、前記地図画像の表示内容を設定する設定画面の画像である表示設定画像を生成し、
前記付加情報画像は、複数の種別に分類され、それぞれの種別ごとに異なる複数の前記付加画像レイヤに配分されており、
前記表示画像生成機能では、前記ベース地図レイヤを模式的に示す地図レイヤアイコンと、複数の前記付加画像レイヤのそれぞれを模式的に示す複数の付加画像レイヤアイコンとを並べて表す画像であるレイヤ選択画像を含む前記表示設定画像を生成し、
前記操作入力受付機能では、複数の前記付加画像レイヤアイコンのそれぞれへのユーザーの選択操作に基づいて、それぞれの前記付加画像レイヤアイコンに対応する種別の前記付加情報画像を前記地図画像に表示するか否かの要否指示を受け付け、
前記表示画像生成機能では、前記ベース地図レイヤと、前記要否指示により表示が必要と指定された前記付加画像レイヤとを重ね合わせて、前記地図画像を生成する。
【００１０】
また、１つの態様として、表示画面に画像を表示すると共に前記表示画面に表示された表示画像の内容に対する指示入力を受ける表示入力装置に、前記表示画像として少なくとも地図画像を表示させる地図表示方法は、
表示画像生成部が前記表示画像を生成する表示画像生成ステップと、
操作入力受付部が前記表示入力装置への前記指示入力を受け付ける操作入力受付ステップと、を備え、
前記表示画像生成ステップでは、少なくとも道路ネットワーク情報を含むベース地図画像が配置されたベース地図レイヤと、当該ベース地図画像上に付加される付加情報画像が配置された付加画像レイヤとを重ね合わせて前記地図画像を生成すると共に、前記地図画像の表示内容を設定する設定画面の画像である表示設定画像を生成し、
前記付加情報画像は、複数の種別に分類され、それぞれの種別ごとに異なる複数の前記付加画像レイヤに配分されており、
前記表示画像生成ステップでは、前記ベース地図レイヤを模式的に示す地図レイヤアイコンと、複数の前記付加画像レイヤのそれぞれを模式的に示す複数の付加画像レイヤアイコンとを並べて表す画像であるレイヤ選択画像を含む前記表示設定画像を生成し、
前記操作入力受付ステップでは、複数の前記付加画像レイヤアイコンのそれぞれへのユーザーの選択操作に基づいて、それぞれの前記付加画像レイヤアイコンに対応する種別の前記付加情報画像を前記地図画像に表示するか否かの要否指示を受け付け、
前記表示画像生成ステップでは、前記ベース地図レイヤと、前記要否指示により表示が必要と指定された前記付加画像レイヤとを重ね合わせて、前記地図画像を生成する。
【００１１】
本発明のさらなる特徴と利点は、図面を参照して説明する本発明の実施形態についての以下の記載から明確となる。
【図面の簡単な説明】
【００１２】
【図１】ナビゲーションシステムのシステム構成を模式的に示すブロック図
【図２】データベースのレイヤ構造の一例を示す説明図
【図３】地図画像のレイヤ構造の一例を示す説明図
【図４】地図画像に表示される付加情報画像を選択する手順の一例を示す説明図
【図５】付加画像レイヤアイコンの表示形態及び付加画像レイヤの表示形態の設定手順の一例を示すフローチャート
【図６】付加情報画像を選択する設定画面の他の例を示す説明図
【図７】付加情報画像を選択する設定画面の他の例を示す説明図
【図８】地図画像のレイヤ構造の他の例を示す説明図
【図９】従来の付加情報画像を選択する手順の一例を示す説明図
【発明を実施するための形態】
【００１３】
以下、本発明の地図表示システムを車両用のナビゲーションシステムに適用した実施形態を例として説明する。但し、このナビゲーションシステムは車両に固定的に搭載されたいわゆる車載ナビゲーションシステムに限らず、任意に移動可能なポータブルナビゲーションシステムであってもよい。また、携帯電話機や、デジタルカメラ、ＰＤＡ（Personal Digital(Data) Assistant）等のポータブル機器にアプリケーションとして搭載されたナビゲーションシステムであってもよい。
【００１４】
図１は、ナビゲーションシステム１０（地図表示システム）のシステム構成を模式的に示すブロック図である。本実施形態において、ナビゲーションシステム１０は、マイクロコンピュータやＤＳＰ（Digital Signal Processor）などの演算処理装置を中核部材とする演算処理部１を中核として構成されている。演算処理部１は、マイクロコンピュータなどの演算処理装置をはじめ、メモリやディスク装置などの記憶媒体、周辺回路などのハードウェアと、当該ハードウェア上で用いられるプログラムやパラメータなどのソフトウェアとの協働によって、ナビゲーションシステム１０としての種々の機能を実現させる。尚、図１は、ナビゲーションシステム１０を構成する全ての記憶媒体や周辺回路などを図示しているものではない。
【００１５】
演算処理部１には、ロケーション演算部２、ナビゲーション演算部３、グラフィックコントローラ４、操作入力受付部７などの機能部が、ハードウェアとソフトウェアとの協働によって構築されている。ロケーション演算部２は、ナビゲーションシステム１０の現在の位置を示す自位置を特定する機能部である。詳細は後述するが、ロケーション演算部２は、カメラ１１、ＧＰＳ受信機１２、方位センサ１３、速度センサ１４から自位置情報を取得する自位置情報取得処理、並びに、自位置情報に基づいて自位置を特定する自位置特定処理を実行する。ナビゲーション演算部３は、少なくとも自位置の周辺の地図情報を地図データベース（地図ＤＢ）８から取得する地図情報取得処理、並びに目的地等が設定されている場合には目的地までの経路案内処理を実行する機能部である。
【００１６】
グラフィックコントローラ４は、ナビゲーション演算部３と協働し、自位置情報及び地図情報に基づく地図画像を生成して、表示入力装置２０に当該地図画像を表示させる。グラフィックコントローラ４は、表示入力装置２０の仕様に応じて画像データ（例えば地図画像）を出力する。図１に示すように、本実施形態では、グラフィックコントローラ４は、表示画像生成部５と、表示制御部６とを有している。表示画像生成部５は、表示入力装置２０の表示部２１（表示画面）に表示させるための表示画像を生成する機能部である。表示制御部６は、表示入力装置２０の仕様に応じて画像データ（表示画像）を出力し、表示入力装置２０の表示部２１に表示画像を表示させる。
【００１７】
表示入力装置２０は、例えばタッチパネルを有して構成されている。このタッチパネルは、表示部２１（表示画面）として機能すると共に、ユーザーにより操作される操作入力部２２として機能する。例えば、タッチパネル（表示部２１、操作入力部２２）には、ユーザーが操作可能なボタン（アイコン）が、画像として規定の座標に配置される。当該画像（ボタン、アイコン等）に対してユーザーが入力操作を行うと、当該画像（ボタン、アイコン等）に対応した指示（指令）が操作入力受付部７に受け付けられる。その指示は、操作入力受付部７からナビゲーション演算部３やグラフィックコントローラ４に伝達され、当該指示に応じた処理が実行される。尚、本実施形態では、操作入力部２２としてタッチパネルを構成するタッチセンサを例示したが、赤外線や電波等を利用したリモートコントローラの受信装置を操作入力部２２としてもよい。
【００１８】
ロケーション演算部２は、ＧＰＳ（Global Positioning System）による測量やデッドレコニング(Dead-Reckoning)による自律制御を利用して自位置を演算して取得する。ＧＰＳによる測量は、ＧＰＳ受信機１２を用いて行われる。また、自律制御は、方位センサ１３によって検出される進行方位や、速度センサ１４（距離センサ）によって検出される進行速度や進行距離（速度と時間との乗算により求まる）に基づいて行われる。さらに、ロケーション演算部２は、路面に描かれた道路標示や、建物・標識等の立体物などの地物をカメラ１１による撮影画像から画像認識して自位置の精度を向上させることもできる。
【００１９】
尚、「自位置」は、ナビゲーションシステム１０において定義され、ナビゲーションシステム１０による案内を受けるユーザーが認知でき、案内結果を好適に利用できる位置である。例えば、ナビゲーションシステム１０が車両に固定的に搭載された車載ナビゲーションシステムであり、ユーザーが当該車両の搭乗者である場合には、「自位置」は、ナビゲーションシステム１０の位置であり、当該車両の位置であり、ユーザーの位置である。ナビゲーションシステム１０が、ポータブルナビゲーションシステムである場合には、「自位置」は、少なくともナビゲーションシステム１０の位置であり、当該ポータブルナビゲーションシステムを携帯するユーザーの位置である。また、ポータブルナビゲーションシステムが、車両に持ち込まれている場合には、当然ながら、「自位置」に当該車両の位置が含まれる。携帯電話機や、デジタルカメラ、ＰＤＡ等のポータブル機器にアプリケーションとして搭載されたナビゲーションシステムの「自位置」も、ポータブルナビゲーションシステムと同様である。
【００２０】
ナビゲーションシステム１０が有する地図データベース８は、光ディスク装置や磁気ディスク装置、ＳＳＤ（Solid State Drive）などによって実現される。図１では、地図データベース８がナビゲーションシステム１０の所在地に設置されている形態を例示しているが、情報センター等の遠隔地に地図データベース８が設置されていてもよい。この場合、ナビゲーションシステム１０（ナビゲーション演算部３等）は、通信等によって地図情報を取得する。本実施形態において、地図データベース８は、図２に示すように、レイヤ構造を有して構築されている。本実施形態では、道路ネットワークレイヤＭ１、道路形状レイヤＭ２が地図データベース８に格納されている例を示している。
【００２１】
道路ネットワークレイヤＭ１は、道路間の接続情報を示すレイヤである。具体的には、緯度及び経度で表現された地図上の位置情報を有する多数のノードＮの情報と、２つのノードＮを連結して道路を構成する多数のリンクＫの情報とを有して構成されている。また、各リンクＫは、そのリンク情報として、道路の種別（高速道路、有料道路、国道、県道等の種別）やリンク長さ等の情報を有している。また、道路形状レイヤＭ２は、道路ネットワークレイヤＭ１に関連付けられて格納され、道路の形状を示すレイヤである。具体的には、２つのノードＮの間（リンクＫ上）に配置されて緯度及び経度で表現された地図上の位置情報を有する多数の道路形状補完点Ｓの情報や道路幅の情報等を有して構成されている。これらの道路ネットワークレイヤＭ１及び道路形状レイヤＭ２に格納された情報により、地図情報が構成される。
【００２２】
地図データベース８には、道路ネットワーク情報や道路形状情報の他に、複数の施設の情報である施設情報も格納されている。施設とは、例えば、飲食店や、駐車場、ガソリンスタンド、コンビニエンスストア、病院等である。このような施設情報は、地図情報に対して付加される付加情報である。地図データベース８に格納される付加情報には、施設情報の他に、例えば、地物情報と称されるものもある。地物情報とは、道路上や道路周辺に設けられた各種の地物の情報であり、地物には、道路の路面に設けられた道路標示が含まれている。このような道路標示に係る地物としては、例えば、横断歩道、停止線、各車線の進行方向を指定する進行方向別通行区分標示（直進矢印、右折矢印等）、交差点形状標示（十字マーク、Ｔ字マーク等）、道路に沿って車線を分ける区画線（実線、破線、二重線等）、速度表示、ゼブラゾーン等の各種のペイント標示が含まれる。尚、地物情報が格納される地物としては、このような道路標示のほか、信号機、標識、陸橋、トンネル等の各種の地物も含めることができる。
【００２３】
ナビゲーションシステム１０は、例えば、交差点において道路標示や道路標識を画像情報として地図画像に重畳させてユーザーを案内することもできる。また、地物情報は、少なくとも地物が存在する位置についての位置情報を含んでいる。上述したように、ロケーション演算部２は、路面に描かれた道路標示や、建物・標識等の立体物などの地物をカメラ１１による撮影画像から画像認識して自位置の精度を向上させることもできる。
【００２４】
付加情報には、施設情報や地物情報などのように、地図データベース８に予め格納されている情報の他、逐次変化する道路状況や、天気の情報等も含めることもできる。例えば、ＶＩＣＳ（Vehicle Information and Communication System）（登録商標）などの道路情報システムから提供される道路の混雑情報や通行規制情報などの交通情報を付加情報とすることができる。ナビゲーションシステム１０は、電波ビーコン、光ビーコン、ＦＭ多重放送などによって発信される交通情報を、これらの受信機を介して取得する。
【００２５】
これらの付加情報は、付加情報画像として、地図情報を示す地図画像に重畳され、表示入力装置２０の表示部２１に表示される。具体的には、地図情報や付加情報を表す画像が配置されたレイヤが重ね合わされて、表示部２１に表示される地図画像が形成される。図３は、レイヤの重ね合わせによって地図画像を生成する例を示している。図３の符号Ｍは、少なくとも道路ネットワーク情報を含むベース地図画像Ｇ０が配置されたベース地図レイヤである。また、符号Ｌは、ベース地図画像上に付加される付加情報画像（Ｇ１，Ｇ２）が配置された付加画像レイヤである。ここでは、付加画像レイヤＬとして、第１付加画像レイヤＬ１と第２付加画像レイヤＬ２との２種類のレイヤを例示している。
【００２６】
第１付加画像レイヤＬ１は、複数の施設のそれぞれの情報である施設情報を示す施設情報画像Ｇ１を付加情報画像として有する付加画像レイヤＬである。ここで、「Ｐ」のマークは駐車場、「ナイフとフォーク」のマークは飲食店を示す施設情報画像Ｇ１である。第２付加画像レイヤＬ２は、複数の地点の交通情報を示す交通情報画像Ｇ２を付加情報画像として有する付加画像レイヤＬである。ここで、道路上のハッチングは当該道路が渋滞していることを示す交通情報画像Ｇ２である。このように、付加情報画像（Ｇ１，Ｇ２）は、複数の種別に分類され、それぞれの種別ごとに異なる複数の付加画像レイヤ（Ｌ１，Ｌ２）に配分されている。図３に示すように、表示画像生成部５は、ベース地図画像Ｇ０が配置されたベース地図レイヤＭと、付加情報画像（Ｇ１，Ｇ２）が配置された付加画像レイヤＬ（Ｌ１，Ｌ２）とを重ね合わせて地図画像ＩＭを生成する。尚、図３等に示す符号ＧＭは、自車両（自位置）を示すアイコンである。
【００２７】
ところで、付加情報画像（Ｇ１，Ｇ２）については、ユーザーによっては表示が不要な場合もある。そこで、必要に応じて地図画像ＩＭに対して付加情報画像を付加するかしないかをユーザーが選択できるように構成されている。図４は、付加情報画像（Ｇ１，Ｇ２）をユーザーが選択し、地図画像ＩＭの表示内容を設定する手順の一例を示している。表示画像生成部５は、ベース地図レイヤＭと付加画像レイヤＬとを重ね合わせて地図画像ＩＭを生成すると共に、地図画像の表示内容を設定する設定画面の画像である表示設定画像ＩＥを生成する。図４の＃１０及び＃４０は、表示部２１に表示される地図画像ＩＭを示しており、図４の＃２０及び＃３０には表示設定画像ＩＥを示している。
【００２８】
図４の＃１０に示すように、地図画像ＩＭには、表示設定画像ＩＥを表示する画面への遷移ボタンであるボタンアイコンＢが含まれる。このボタンアイコンＢへのユーザー操作は、操作入力部２２によって検出され、操作入力受付部７は、ボタンアイコンＢに対応する指示入力を受け付ける。ここでは、ボタンアイコンＢに対応する指示入力は、表示設定画面への移行である。操作入力受付部７が受け付けた指示入力は、グラフィックコントローラ４に伝達され、表示入力装置２０の表示部２１の表示内容が切換えられる。具体的には、表示画像生成部５が、表示設定画像ＩＥを生成し、表示制御部６は、地図画像ＩＭに代えて表示設定画像ＩＥを表示画像として表示部２１に表示させる（＃２０）。
【００２９】
図４の＃２０は、表示設定画像ＩＥの一例を示している。表示画像生成部５は、レイヤ選択画像ＩＳを含む表示設定画像ＩＥを生成する。レイヤ選択画像ＩＳは、地図レイヤアイコンＭＩと、複数の付加画像レイヤアイコンＬＩ（ＬＩ１，ＬＩ２）と、を並べて表す画像である。地図レイヤアイコンＭＩは、ベース地図レイヤＭを模式的に示すアイコンである。また、複数の付加画像レイヤアイコンＬＩ（ＬＩ１，ＬＩ２）は、複数の付加画像レイヤＬ（Ｌ１，Ｌ２）のそれぞれを模式的に示すアイコンである。図４に示す例においては、第１付加画像レイヤアイコンＬＩ１は第１付加画像レイヤＬ１を模式的に示しており、第２付加画像レイヤアイコンＬＩ２は第２付加画像レイヤＬ２を模式的に示している。
【００３０】
ところで、付加画像レイヤアイコンＬＩは、ユーザーからの選択操作を受ける機能を有している。地図レイヤアイコンＭＩは、表示の要否を設定することができないので、ユーザーからの選択操作を受ける機能は有していない。操作入力受付部７は、複数の付加画像レイヤアイコンＬＩのそれぞれへのユーザーの選択操作に基づいて、それぞれの付加画像レイヤアイコンＬＩに対応する種別の付加情報画像を地図画像ＩＭに表示するか否かの要否指示を受け付ける。つまり、第１付加画像レイヤアイコンＬＩ１へのユーザーの選択操作に基づいて、第１付加画像レイヤＬ１に対応する付加情報画像（施設情報画像Ｇ１）を地図画像ＩＭに表示するか否かの要否指示を受け付ける。また、第２付加画像レイヤアイコンＬＩ２へのユーザーの選択操作に基づいて、第２付加画像レイヤＬ２に対応する付加情報画像（交通情報画像Ｇ２）を地図画像ＩＭに表示するか否かの要否指示を受け付ける。
【００３１】
付加画像レイヤアイコンＬＩは、ユーザーからの選択操作により、当該付加画像レイヤアイコンＬＩに対応する付加情報画像を地図画像ＩＭに表示するか否かを交互に切換えるオルタネートスイッチとして機能する。つまり、表示設定画像ＩＥにおいて、付加画像レイヤアイコンＬＩに対応する付加情報画像が地図画像ＩＭに表示される設定となっている場合には、当該付加画像レイヤアイコンＬＩに対する操作によって、当該付加画像レイヤアイコンＬＩに対応する付加情報画像が地図画像ＩＭに表示されない設定へと変更される。逆に、表示設定画像ＩＥにおいて、付加画像レイヤアイコンＬＩに対応する付加情報画像が地図画像ＩＭに表示されない設定となっている場合には、当該付加画像レイヤアイコンＬＩに対する操作によって、当該付加画像レイヤアイコンＬＩに対応する付加情報画像が地図画像ＩＭに表示される設定へと変更される。
【００３２】
表示画像生成部５は、表示が必要と指定されている付加画像レイヤＬと、表示が不要と指定されている付加画像レイヤＬとが区別可能なように、複数の付加画像レイヤＬのそれぞれに対応する付加画像レイヤアイコンＬＩのそれぞれの表示形態を異ならせてレイヤ選択画像ＩＳを生成する。従って、ユーザーは、表示入力装置２０の表示部２１に表示されたレイヤ選択画像ＩＳを見ることによって、どの付加画像レイヤＬに対応する付加情報画像が地図画像ＩＭに重畳されるか否かを容易に認識することができる。
【００３３】
図４の＃２０は、第１付加画像レイヤアイコンＬＩ１に対して操作指示が与えられる例を示している。この操作指示により、第１付加画像レイヤアイコンＬＩ１に対応する付加情報画像を地図画像ＩＭに表示する設定が変更される。本実施形態では、第１付加画像レイヤＬ１の地図画像ＩＭへの表示が必要から不要へと、設定変更されている。この際、図４の＃３０に示すように、第１付加画像レイヤアイコンＬＩ１の表示形態が変更される。本実施形態では、表示が不要と指定された場合には、付加画像レイヤアイコンＬＩの視認性を低下させるように表示形態が変更される。図４の＃３０では、第１付加画像レイヤアイコンＬＩ１のコントラストを低下させて、いわゆるグレイアウトされている例を示している。
【００３４】
図５のフローチャートは、このような付加画像レイヤアイコンＬＩに対する操作により、付加画像レイヤアイコンＬＩの表示形態の変更及び付加画像レイヤＬの表示の要否設定の変更を行う処理の一例を模式的に示している。はじめに、自レイヤアイコン（付加画像レイヤアイコンＬＩ）への操作があったか否かが判定される（＃１）。操作がない場合には、付加画像レイヤアイコンＬＩの表示形態及び付加画像レイヤＬの表示の要否設定に変更を加えず、そのまま処理を終了する。
【００３５】
自レイヤアイコンへの操作があった場合には、ステップ＃２へ進み、表示設定がＯＮであったか否か、つまり、付加画像レイヤＬの表示の要否設定が表示「要」であったか否かが判定される。表示設定がＯＮであった場合には、自レイヤアイコンへの操作によって、要否設定が切り替わるため、付加画像レイヤアイコンＬＩの視認性を低下させるためのアイコン非表示設定がＯＮに変更される（＃３）。さらに、当該付加画像レイヤアイコンＬＩに対応する付加画像レイヤＬの表示設定がＯＦＦに変更される（＃５）。尚、ステップ＃３とステップ＃５とは、逆の順序で実行されてもよい。
【００３６】
一方、ステップ＃２において、表示設定がＯＦＦであった場合には、付加画像レイヤアイコンＬＩの視認性を低下させるためのアイコン非表示設定がＯＦＦに変更される（＃４）。さらに、当該付加画像レイヤアイコンＬＩに対応する付加画像レイヤＬの表示設定がＯＮに変更される（＃６）。尚、ステップ＃４とステップ＃６とは、逆の順序で実行されてもよい。
【００３７】
図４の＃２０及び＃３０に示すように、表示設定画像ＩＥには、表示設定画像ＩＥに表示されている設定を確定させ、地図画像ＩＭへ遷移する（戻る）ためのボタンアイコンＢが含まれる。このボタンアイコンＢを操作すると、設定が確定され、当該設定に応じて付加画像レイヤＬが重ね合わされた地図画像ＩＭが表示画像として表示部２１に表示される（＃４０）。図４の＃１０と＃４０とを比較すれば明らかなように、表示設定を変更することによって、施設情報を示す第１付加画像レイヤＬ１が除外されている。
【００３８】
以上、説明したように、表示部２１（表示画面）に画像を表示すると共に表示部２１に表示された表示画像の内容に対する指示入力を受ける表示入力装置２０に、表示画像として少なくとも地図画像ＩＭを表示させる地図表示システムは、ナビゲーションシステム１０の一部として構成されている。地図表示システムは、演算処理部１、特にグラフィックコントローラ４及び操作入力受付部７を中核として、地図表示システムが構築される。演算処理部１は、マイクロコンピュータやＤＳＰにより構成されており、ハードウェアとソフトウェアとの協働により種々の機能を実現させる。ソフトウェアとしての地図表示プログラムは、例えば演算処理部１を構成するコンピュータ（マイクロコンピュータやＤＳＰ）に機能を実現させる。
【００３９】
地図表示システムは、表示画像を生成する表示画像生成部５と、表示入力装置２０への指示入力を受け付ける操作入力受付部７とを備える。地図表示プログラムは、表示画像を生成する表示画像生成機能と、表示入力装置２０への指示入力を受け付ける操作入力受付機能とを、例えば演算処理部１を構成するコンピュータに実現させる。地図表示方法では、表示画像生成部５が表示画像を生成する表示画像生成ステップと、操作入力受付部７が表示入力装置２０への指示入力を受け付ける操作入力受付ステップとを備える。
【００４０】
地図表示システムにおいて、表示画像生成部５は、少なくとも道路ネットワーク情報を含むベース地図画像Ｇ０が配置されたベース地図レイヤＭと、当該ベース地図画像Ｇ０上に付加される付加情報画像（Ｇ１，Ｇ２）が配置された付加画像レイヤＬとを重ね合わせて地図画像ＩＭを生成すると共に、地図画像ＩＭの表示内容を設定する設定画面の画像である表示設定画像ＩＥを生成する。地図表示プログラムがコンピュータ（例えば演算処理部１）に実現させる表示画像生成機能では、同様にベース地図レイヤＭと付加画像レイヤＬとを重ね合わせて地図画像ＩＭを生成すると共に、表示設定画像ＩＥを生成する。また、地図表示方法でも同様に、表示画像生成ステップにおいて、表示画像生成部５が、ベース地図レイヤＭと付加画像レイヤＬとを重ね合わせて地図画像ＩＭを生成すると共に、表示設定画像ＩＥを生成する。
【００４１】
上述したように、付加情報画像（Ｇ１，Ｇ２）は、複数の種別に分類され、それぞれの種別ごとに異なる複数の付加画像レイヤＬ（Ｌ１，Ｌ２）に配分されている。地図表示システムにおいて、表示画像生成部５は、ベース地図レイヤＭを模式的に示す地図レイヤアイコンＭＩと、複数の付加画像レイヤＬ（Ｌ１，Ｌ２）のそれぞれを模式的に示す複数の付加画像レイヤアイコンＬＩ（ＬＩ１，ＬＩ２）とを並べて表す画像であるレイヤ選択画像ＩＳを含む表示設定画像ＩＥを生成する。地図表示プログラムがコンピュータ（例えば演算処理部１）に実現させる表示画像生成機能では、同様に、地図レイヤアイコンＭＩと複数の付加画像レイヤアイコンＬＩ（ＬＩ１，ＬＩ２）とを並べて表す画像であるレイヤ選択画像ＩＳを含む表示設定画像ＩＥを生成する。同様に、地図表示方法でも、表示画像生成ステップにおいて、表示画像生成部５が、地図レイヤアイコンＭＩと複数の付加画像レイヤアイコンＬＩ（ＬＩ１，ＬＩ２）とを並べて表す画像であるレイヤ選択画像ＩＳを含む表示設定画像ＩＥを生成する。
【００４２】
そして、地図表示システムにおいて、操作入力受付部７は、複数の付加画像レイヤアイコンＬＩ（ＬＩ１，ＬＩ２）のそれぞれへのユーザーの選択操作に基づいて、それぞれの付加画像レイヤアイコンＬＩ（ＬＩ１，ＬＩ２）に対応する種別の付加情報画像（Ｇ１，Ｇ２）を地図画像ＩＭに表示するか否かの要否指示を受け付ける。地図表示プログラムがコンピュータ（例えば演算処理部１）に実現させる操作入力受付機能では、同様に、複数の付加画像レイヤアイコンＬＩ（ＬＩ１，ＬＩ２）のそれぞれへのユーザーの選択操作に基づいて、要否指示を受け付ける。地図表示方法でも、同様に、操作入力受付ステップにおいて、操作入力受付部７が、複数の付加画像レイヤアイコンＬＩ（ＬＩ１，ＬＩ２）のそれぞれへのユーザーの選択操作に基づいて、要否指示を受け付ける。
【００４３】
そして、地図表示システムにおいて、表示画像生成部５は、ベース地図レイヤＭと、要否指示により表示が必要と指定された付加画像レイヤＬ（Ｌ１，Ｌ２）とを重ね合わせて、地図画像ＩＭを生成する。地図表示プログラムがコンピュータ（例えば演算処理部１）に実現させる表示画像生成機能では、ベース地図レイヤＭと、要否指示により表示が必要と指定された付加画像レイヤＬ（Ｌ１，Ｌ２）とを重ね合わせて、地図画像ＩＭを生成する。また、地図表示方法では、表示画像生成ステップにおいて、表示画像生成部５が、ベース地図レイヤＭと、要否指示により表示が必要と指定された付加画像レイヤＬ（Ｌ１，Ｌ２）とを重ね合わせて、地図画像ＩＭを生成する。
【００４４】
ところで、表示設定画像ＩＥは、図４の＃２０、＃３０に例示した形態に限らない。図６や図７に示すように、表示設定画像ＩＥは、操作入力受付部７により受け付けた要否指示に応じて、表示が必要と指定されている付加画像レイヤＬの付加情報画像（Ｇ１，Ｇ２）が重畳されたベース地図画像Ｇ０と、レイヤ選択画像ＩＳと、を並べた形態であってもよい。つまり、表示設定画像ＩＥとして、レイヤ選択画像ＩＳだけではなく、さらに、付加画像レイヤＬの選択状態に応じた模式的な地図画像ＩＭも同時に表示されると好適である。この場合、表示画像生成部５は、レイヤ選択画像ＩＳと、操作入力受付部７により受け付けた要否指示に応じて、表示が必要と指定されている付加画像レイヤＬの付加情報画像（Ｇ１，Ｇ２）が重畳されたベース地図画像Ｇ０とを並べて表示設定画像ＩＥを生成する。
【００４５】
ユーザーは、付加画像レイヤＬの選択によってどのような地図画像ＩＭとなるかを、付加画像レイヤＬの選択の際に確認することができる。図６は、図４の＃２０に対応しており、第１付加画像レイヤアイコンＬＩ１に対して操作指示が与えられる例を示している。図６では、表示設定画像ＩＥが、レイヤ選択画像ＩＳに加えて、付加情報画像（Ｇ１，Ｇ２）が重畳されたベース地図画像Ｇ０も含む例を示している。上述したように、第１付加画像レイヤアイコンＬＩ１に対する操作指示により、第１付加画像レイヤＬ１の地図画像ＩＭへの表示が必要から不要へと、設定変更される。この際、図４の＃３０に対応する図７に示すように、第１付加画像レイヤアイコンＬＩ１の表示形態が変更される。図７では、第１付加画像レイヤアイコンＬＩ１の表示形態が変わると共に、付加情報画像（Ｇ１，Ｇ２）が重畳されたベース地図画像Ｇ０の表示形態も変わっている。表示設定画像ＩＥに含まれるベース地図画像Ｇ０は、表示が必要と指定されている付加画像レイヤＬの付加情報画像（Ｇ１，Ｇ２）が重畳されたものである。従って、第１付加画像レイヤＬ１の表示設定がＯＦＦへと変更されたことに伴い、施設情報画像Ｇ１の重畳もなくなっている。
【００４６】
図４を参照して説明した形態では、＃３０の設定画面において「確定」のボタンアイコンＢを操作して、地図画像を表示させなければ付加情報画像（Ｇ１，Ｇ２）が重畳されたベース地図画像Ｇ０を確認することができない。従って、ユーザーの希望とは異なる表示形態であった場合には、再度、設定画面へ戻って設定をやり直す必要がある。しかし、図６及び図７を参照して説明した形態では、設定画面において「確定」のボタンアイコンＢを操作する前に、付加情報画像（Ｇ１，Ｇ２）が重畳されたベース地図画像Ｇ０を確認することができる。従って、ユーザーの希望とは異なる表示形態であった場合でも、迅速に設定をやり直すことができる。
【００４７】
〔その他の実施形態〕
以下、本発明のその他の実施形態について説明する。尚、以下に説明する各実施形態の構成は、それぞれ単独で適用されるものに限られず、矛盾が生じない限り、他の実施形態の構成と組み合わせて適用することも可能である。
【００４８】
（１）図４、図６、図７等を参照して上述した形態では、地図レイヤアイコンＭＩは、表示設定画像ＩＥを生成する際の地図画像ＩＭにおけるベース地図画像Ｇ０の表示内容に対応した図案（図柄）であった。また、付加画像レイヤアイコンＬＩは、表示設定画像ＩＥを生成する際の地図画像ＩＭにおける付加情報画像（Ｇ１，Ｇ２）の表示内容に対応した図案であった。例えば、ユーザーが、地図画像ＩＭに重畳された付加情報画像（Ｇ１，Ｇ２）に煩わしさを覚えて、表示内容を調整しようとした場合、このように各レイヤアイコン（ＭＩ，ＬＩ）が当該地図画像ＩＭに応じた図案であると、要否の判断や要否指示のための選択が容易である。しかし、各レイヤアイコン（ＭＩ，ＬＩ）の図案は、ベース地図画像Ｇ０の表示内容に対応していなくてもよい。
【００４９】
例えば、地図レイヤアイコンＭＩは、表示設定画像ＩＥを生成する際の地図画像ＩＭにおけるベース地図画像Ｇ０の表示内容に拘わらず、予め規定された図案（規定図案）であってもよい。また、付加画像レイヤアイコンＬＩも、表示設定画像ＩＥを生成する際の地図画像ＩＭにおける付加情報画像（Ｇ１，Ｇ２）の表示内容に拘わらず、予め規定された図案（規定図案）であってもよい。当然ながら、地図レイヤアイコンＭＩ及び付加画像レイヤアイコンＬＩの何れか一方が、ベース地図画像Ｇ０の表示内容に対応した図案であり、他方が、ベース地図画像Ｇ０の表示内容に対応していない図案（規定図案）であってもよい。地図画像ＩＭの対象となる領域によっては、付加情報画像（Ｇ１，Ｇ２）が存在していない場合がある。この場合には、地図画像ＩＭに応じた図案で付加画像レイヤアイコンＬＩを生成することはできない。地図画像ＩＭに拘わらず、規定図案で付加画像レイヤアイコンＬＩが生成されると、安定して視認性のよい表示設定画像ＩＥを生成することができる。また、地図画像ＩＭに応じて、表示設定画像ＩＥを生成する都度、付加画像レイヤアイコンＬＩを生成する必要がないため、処理負荷を軽減することもできる。
【００５０】
（２）上記の説明では、付加画像レイヤＬとして、施設情報画像Ｇ１を付加情報画像として有する第１付加画像レイヤＬ１と、交通情報画像Ｇ２を付加情報画像として有する第２付加画像レイヤＬ２と、を例示した。また、上述したように、付加情報画像として地物情報の画像（横断歩道、停止線などの道路標示、信号機、標識等）も利用することができる。図８は、例えば信号機や一方通行の標識を示す地物情報画像Ｇ３を付加情報画像として有する第３付加画像レイヤＬ３を例示している。この例から明らかなように、施設情報画像Ｇ１や交通情報画像Ｇ２の他、地物情報画像Ｇ３やその他の画像を付加情報画像として有する付加画像レイヤＬを備えることも可能である。そして、当該付加画像レイヤＬをベース地図レイヤＭに重畳するか否かも、選択可能である。
【００５１】
〔本発明の実施形態の概要〕
以下、上記において説明した、本発明の実施形態における地図表示システムの概要について簡単に説明する。
【００５２】
地図表示システムは、１つの好適な態様として、
表示画面（２１）に画像を表示すると共に前記表示画面（２１）に表示された表示画像の内容に対する指示入力を受ける表示入力装置（２０）に、前記表示画像として少なくとも地図画像（ＩＭ）を表示させる地図表示システム（１０）であって、
前記表示画像を生成する表示画像生成部（５）と、
前記表示入力装置（２０）への前記指示入力を受け付ける操作入力受付部（７）と、
を備え、
前記表示画像生成部（５）は、少なくとも道路ネットワーク情報を含むベース地図画像（Ｇ０）が配置されたベース地図レイヤ（Ｍ）と、当該ベース地図画像（Ｇ０）上に付加される付加情報画像（Ｇ１，Ｇ２）が配置された付加画像レイヤ（Ｌ）とを重ね合わせて前記地図画像（ＩＭ）を生成すると共に、前記地図画像（ＩＭ）の表示内容を設定する設定画面の画像である表示設定画像（ＩＥ）を生成し、
前記付加情報画像（Ｇ１，Ｇ２）は、複数の種別に分類され、それぞれの種別ごとに異なる複数の前記付加画像レイヤ（Ｌ（Ｌ１，Ｌ２））に配分されており、
前記表示画像生成部（５）は、前記ベース地図レイヤ（Ｍ）を模式的に示す地図レイヤアイコン（ＭＩ）と、複数の前記付加画像レイヤ（Ｌ（Ｌ１，Ｌ２））のそれぞれを模式的に示す複数の付加画像レイヤアイコン（ＬＩ（ＬＩ１，ＬＩ２））とを並べて表す画像であるレイヤ選択画像（ＩＳ）を含む前記表示設定画像（ＩＥ）を生成し、
前記操作入力受付部（７）は、複数の前記付加画像レイヤアイコン（ＬＩ（ＬＩ１，ＬＩ２））のそれぞれへのユーザーの選択操作に基づいて、それぞれの前記付加画像レイヤアイコン（ＬＩ（ＬＩ１，ＬＩ２））に対応する種別の前記付加情報画像（Ｇ１，Ｇ２）を前記地図画像（ＩＭ）に表示するか否かの要否指示を受け付け、
前記表示画像生成部（５）は、前記ベース地図レイヤ（Ｍ）と、前記要否指示により表示が必要と指定された前記付加画像レイヤ（Ｌ（Ｌ１，Ｌ２））とを重ね合わせて、前記地図画像（ＩＭ）を生成する。
【００５３】
ベース地図レイヤ（Ｍ）及び付加画像レイヤ（Ｌ（Ｌ１，Ｌ２））を模式的に示すレイヤアイコン（ＭＩ，ＬＩ（ＬＩ１，ＬＩ２））を並べた画像（レイヤ選択画像（ＩＳ））を表示させることにより、ユーザーに対して、地図画像（ＩＭ）の構造を明示することができる。ユーザーは、表示が必要と考える付加情報画像（Ｇ１，Ｇ２）に対応する付加画像レイヤ（Ｌ（Ｌ１，Ｌ２））を容易に識別することができる。さらに、付加画像レイヤアイコン（ＬＩ（ＬＩ１，ＬＩ２））に対するユーザーによる選択操作に基づいて、付加情報画像（Ｇ１，Ｇ２）を地図画像（ＩＭ）に表示するか否かの要否指示が可能である。即ち、ユーザーは、付加画像レイヤ（Ｌ（Ｌ１，Ｌ２））を容易に識別すると共に、付加画像レイヤ（Ｌ（Ｌ１，Ｌ２））を容易に選択することができる。このように、本構成によれば、地図と共に付加情報を表示させることが可能な場合に、ユーザーの所望の表示形態を適切且つ効率良く設定することができる。
【００５４】
ここで、前記表示画像生成部（５）は、表示が必要と指定されている前記付加画像レイヤ（Ｌ）と、表示が不要と指定されている前記付加画像レイヤ（Ｌ）とが区別可能なように、複数の前記付加画像レイヤ（Ｌ）のそれぞれに対応する前記付加画像レイヤアイコン（ＬＩ）のそれぞれの表示形態を異ならせて前記レイヤ選択画像（ＩＳ）を生成すると好適である。付加画像レイヤアイコン（ＬＩ）の表示形態が表示の要否に応じて異なっていることで、ユーザーは、表示の要否が指定されている状態を容易に識別することができる。
【００５５】
ここで、前記地図レイヤアイコン（ＭＩ）は、前記表示設定画像（ＩＥ）を生成する際の前記地図画像（ＩＭ）における前記ベース地図画像（Ｇ０）の表示内容に対応した図案であり、前記付加画像レイヤアイコン（ＬＩ）は、前記表示設定画像（ＩＥ）を生成する際の前記地図画像（ＩＭ）における前記付加情報画像（Ｇ１，Ｇ２）の表示内容に対応した図案であると好適である。例えば、ユーザーは、地図画像（ＩＭ）に重畳された付加情報画像（Ｇ１，Ｇ２）に煩わしさを覚えて、表示内容を調整しようとすることがある。この場合、表示設定画像（ＩＥ）を生成する際の地図画像（ＩＭ）に応じた図案で、地図レイヤアイコン（ＭＩ）及び付加画像レイヤアイコン（ＬＩ）が生成されると、ユーザーは、付加画像レイヤ（Ｌ）の要否の判断や、要否指示のための選択を容易に行うことができる。
【００５６】
また、別の態様として、前記地図レイヤアイコン（ＭＩ）は、前記表示設定画像（ＩＥ）を生成する際の前記地図画像（ＩＭ）における前記ベース地図画像（Ｇ０）の表示内容に拘わらず、予め規定された図案であり、前記付加画像レイヤアイコン（ＬＩ）は、前記表示設定画像（ＩＥ）を生成する際の前記地図画像（ＩＭ）における前記付加情報画像（Ｇ１，Ｇ２）の表示内容に拘わらず、予め規定された図案であってもよい。地図画像（ＩＭ）の対象となる領域によっては、付加情報画像（Ｇ１，Ｇ２）が存在していない場合がある。この場合には、地図画像（ＩＭ）に応じた図案で付加画像レイヤアイコン（ＬＩ）を生成することはできない。地図画像（ＩＭ）に拘わらず、予め規定された図案で付加画像レイヤアイコン（ＬＩ）が生成されると、安定して視認性のよい表示設定画像（ＩＥ）を生成することができる。また、地図画像（ＩＭ）に応じて、表示設定画像（ＩＥ）を生成する都度、付加画像レイヤアイコン（ＬＩ）の図柄を変更する必要がないため、処理負荷を軽減することができる。
【００５７】
また、１つの態様として、前記表示画像生成部（５）は、前記レイヤ選択画像（ＩＳ）と、前記操作入力受付部（７）により受け付けた前記要否指示に応じて、表示が必要と指定されている前記付加画像レイヤ（Ｌ）の前記付加情報画像（Ｇ１，Ｇ２）が重畳された前記ベース地図画像（Ｇ０）と、を並べて前記表示設定画像（ＩＥ）を生成すると好適である。ユーザーは、付加画像レイヤ（Ｌ）の選択によってどのような地図画像（ＩＭ）となるかを、付加画像レイヤ（Ｌ）の選択の際に、表示設定画像（ＩＥ）上で確認することができる。
【００５８】
ここで、前記付加画像レイヤ（Ｌ）は、少なくとも、複数の施設のそれぞれの情報である施設情報を示す施設情報画像（Ｇ１）を前記付加情報画像として有する第１付加画像レイヤ（Ｌ１）と、複数の地点の交通情報を示す交通情報画像（Ｇ２）を前記付加情報画像として有する第２付加画像レイヤ（Ｌ２）と、を含むと好適である。施設情報及び交通情報は、利便性の高い情報であり、ベース地図画像（Ｇ０）と共に表示されると有用である。しかし、これらの情報を必要としない場合には、却ってベース地図画像（Ｇ０）の視認性を低下させる可能性がある。従って、これらの情報に対応した画像が付加画像レイヤ（Ｌ）に配置されて、選択可能に構成されていると、必要に応じて適切に情報を利用することができて好適である。
【００５９】
上述した地図表示システムの種々の技術的特徴は、地図表示プログラムや、地図表示方法にも適用可能である。例えば、１つの態様として、地図表示プログラムは、上述した地図表示システムの特徴を備えた各種の機能をコンピュータに実行させる。以下にその代表的な態様を例示する。当然ながらこのような地図表示プログラムも、上述した地図表示システムの作用効果を奏することができる。さらに、地図表示システムの好適な態様として例示した種々の付加的特徴をこの地図表示プログラムに組み込むことも可能であり、当該プログラムはそれぞれの付加的特徴に対応する作用効果も奏することができる。地図表示方法についても同様である。
【００６０】
１つの態様として、表示画面（２１）に画像を表示すると共に前記表示画面（２１）に表示された表示画像の内容に対する指示入力を受ける表示入力装置（２０）に、前記表示画像として少なくとも地図画像（ＩＭ）を表示させる地図表示プログラムは、
表示画像生成部（５）が前記表示画像を生成する表示画像生成機能と、
操作入力受付部（７）が前記表示入力装置（２０）への前記指示入力を受け付ける操作入力受付機能と、
をコンピュータに実現させ、
前記表示画像生成機能では、少なくとも道路ネットワーク情報を含むベース地図画像（Ｇ０）が配置されたベース地図レイヤ（Ｍ）と、当該ベース地図画像（Ｇ０）上に付加される付加情報画像（Ｇ１，Ｇ２）が配置された付加画像レイヤ（Ｌ）とを重ね合わせて前記地図画像（ＩＭ）を生成すると共に、前記地図画像（ＩＭ）の表示内容を設定する設定画面の画像である表示設定画像（ＩＥ）を生成し、
前記付加情報画像（Ｇ１，Ｇ２）は、複数の種別に分類され、それぞれの種別ごとに異なる複数の付加画像レイヤ（Ｌ（Ｌ１，Ｌ２））に配分されており、
前記表示画像生成機能では、前記ベース地図レイヤ（Ｍ）を模式的に示す地図レイヤアイコン（ＭＩ）と、複数の前記付加画像レイヤ（Ｌ（Ｌ１，Ｌ２））のそれぞれを模式的に示す複数の付加画像レイヤアイコン（ＬＩ（ＬＩ１，ＬＩ２））とを並べて表す画像であるレイヤ選択画像（ＩＳ）を含む前記表示設定画像（ＩＥ）を生成し、
前記操作入力受付機能では、複数の前記付加画像レイヤアイコン（ＬＩ（ＬＩ１，ＬＩ２））のそれぞれへのユーザーの選択操作に基づいて、それぞれの前記付加画像レイヤアイコン（ＬＩ（ＬＩ１，ＬＩ２））に対応する種別の前記付加情報画像（Ｇ１，Ｇ２）を前記地図画像（ＩＭ）に表示するか否かの要否指示を受け付け、
前記表示画像生成機能では、前記ベース地図レイヤ（Ｍ）と、前記要否指示により表示が必要と指定された前記付加画像レイヤ（Ｌ（Ｌ１，Ｌ２））とを重ね合わせて、前記地図画像（ＩＭ）を生成する。
【００６１】
また、１つの態様として、表表示画面（２１）に画像を表示すると共に前記表示画面（２１）に表示された表示画像の内容に対する指示入力を受ける表示入力装置（２０）に、前記表示画像として少なくとも地図画像（ＩＭ）を表示させる地図表示方法は、
表示画像生成部（５）が前記表示画像を生成する表示画像生成ステップと、
操作入力受付部（７）が前記表示入力装置（２０）への前記指示入力を受け付ける操作入力受付ステップと、を備え、
前記表示画像生成ステップでは、少なくとも道路ネットワーク情報を含むベース地図画像（Ｇ０）が配置されたベース地図レイヤ（Ｍ）と、当該ベース地図画像（Ｇ０）上に付加される付加情報画像（Ｇ１，Ｇ２）が配置された付加画像レイヤ（Ｌ）とを重ね合わせて前記地図画像（ＩＭ）を生成すると共に、前記地図画像（ＩＭ）の表示内容を設定する設定画面の画像である表示設定画像（ＩＥ）を生成し、
前記付加情報画像（Ｇ１，Ｇ２）は、複数の種別に分類され、それぞれの種別ごとに異なる複数の付加画像レイヤ（Ｌ（Ｌ１，Ｌ２））に配分されており、
前記表示画像生成ステップでは、前記ベース地図レイヤ（Ｍ）を模式的に示す地図レイヤアイコン（ＭＩ）と、複数の前記付加画像レイヤ（Ｌ（Ｌ１，Ｌ２））のそれぞれを模式的に示す複数の付加画像レイヤアイコン（ＬＩ（ＬＩ１，ＬＩ２））とを並べて表す画像であるレイヤ選択画像（ＩＳ）を含む前記表示設定画像（ＩＥ）を生成し、
前記操作入力受付ステップでは、複数の前記付加画像レイヤアイコン（ＬＩ（ＬＩ１，ＬＩ２））のそれぞれへのユーザーの選択操作に基づいて、それぞれの前記付加画像レイヤアイコン（ＬＩ（ＬＩ１，ＬＩ２））に対応する種別の前記付加情報画像（Ｇ１，Ｇ２）を前記地図画像（ＩＭ）に表示するか否かの要否指示を受け付け、
前記表示画像生成ステップでは、前記ベース地図レイヤ（Ｍ）と、前記要否指示により表示が必要と指定された前記付加画像レイヤ（Ｌ（Ｌ１，Ｌ２））とを重ね合わせて、前記地図画像（ＩＭ）を生成する。
【産業上の利用可能性】
【００６２】
本発明は、表示画面に画像を表示すると共にその表示画面に表示された表示画像の内容に対する指示入力を受ける表示入力装置に、表示画像として少なくとも地図画像を表示させる地図表示システムに利用することができる。
【符号の説明】
【００６３】
５        ：表示画像生成部
７        ：操作入力受付部
１０      ：ナビゲーションシステム（地図表示システム）
２０      ：表示入力装置
２１      ：表示部（表示画面）
２２      ：操作入力部
Ｇ０      ：ベース地図画像
Ｇ１      ：施設情報画像（付加情報画像）
Ｇ２      ：交通情報画像（付加情報画像）
ＩＥ      ：表示設定画像
ＩＭ      ：地図画像
ＩＳ      ：レイヤ選択画像
Ｌ        ：付加画像レイヤ
Ｌ１      ：第１付加画像レイヤ
Ｌ２      ：第２付加画像レイヤ
ＬＩ      ：付加画像レイヤアイコン
ＬＩ１    ：第１付加画像レイヤアイコン
ＬＩ２    ：第２付加画像レイヤアイコン
Ｍ        ：ベース地図レイヤ
ＭＩ      ：地図レイヤアイコン
【図１】
0006417987.tif 000002
【図２】
0006417987.tif 000003
【図３】
0006417987.tif 000004
【図４】
0006417987.tif 000005
【図５】
0006417987.tif 000006
【図６】
0006417987.tif 000007
【図７】
0006417987.tif 000008
【図８】
0006417987.tif 000009
【図９】
0006417987.tif 000010